(57)【要約】【課題】  構成を複雑化することなく小型化を促進できるコンパクトな「光学式ピックアップ」を提供すること。【解決手段】  レンズホルダ４と背面基板１６との間に橋絡されたワイヤ５と、受発光ユニット１０と反射ミラー１１との間の光ビームの光路とが、対物レンズ３の光軸方向に離れ且つ対物レンズ３の中心から見て同一方向に延びる部品レイアウトとし、ワイヤ５を介してレンズホルダ４を弾性的に支持している背面基板１６が配設されているシャーシ１の長手方向（タンジェンシャル方向）一側部に、受発光ユニット１０やそのフレキシブル配線基板１３および支持板１４等を集約させて配設した。また、ワイヤ５の基端部が挿入可能な逃げ穴１４ａを支持板１４に設けることによって、ワイヤ５と支持板１４をオーバーラップさせた。【選択図】  図１
2005353121.tif 000002
【特許請求の範囲】
【請求項１】
対物レンズが取り付けられたレンズホルダと、このレンズホルダを導電性のワイヤを介して弾性的に支持する支持基板と、前記対物レンズを介してディスクに光ビームを出射する発光手段および該ディスクからの戻り光ビームを受光する受光手段が配設された受発光ユニットと、この受発光ユニットが接続される配線パターンを有するフレキシブル配線基板と、前記対物レンズの光軸上に配置され前記発光手段から出射された光ビームを前記対物レンズに向けて反射すると共にディスクからの戻り光ビームを前記受光手段に向けて反射する反射ミラーと、前記支持基板と前記受発光ユニットおよび前記反射ミラーが搭載されたシャーシとを備えた光学式ピックアップにおいて、
前記レンズホルダと前記支持基板との間の前記ワイヤと、前記受発光ユニットと前記反射ミラーとの間の光ビームの光路とが、前記対物レンズの光軸方向に離れ且つ前記対物レンズの中心から見て同一方向に延びていることを特徴とする光学式ピックアップ。
【請求項２】
請求項１の記載において、前記支持基板は基板支持部材の反レンズホルダ側の面に取り付けられて該基板支持部材を介して前記シャーシに搭載されており、前記受発光ユニットと前記反射ミラーとの間の光ビームの光路が前記シャーシの内底面と前記基板支持部材との間に形成されるように、前記受発光ユニットが前記シャーシの側面に取り付けられていることを特徴とする光学式ピックアップ。
【請求項３】
請求項１または２の記載において、前記支持基板の反レンズホルダ側の面には前記ワイヤの基端部が半田付けされるランド部が設けられ、前記ワイヤの基端部は前記支持基板を貫通して反レンズホルダ側へ延びており、前記フレキシブル配線基板を貼着して支持する支持板が前記支持基板の反レンズホルダ側の面と対向して配置され、前記ワイヤの基端部先端が前記支持板に形成された逃げ部に挿入されていることを特徴とする光学式ピックアップ。
【請求項４】
請求項３の記載において、前記支持板が熱伝導性の良い金属材料からなることを特徴とする光学式ピックアップ。
【発明の詳細な説明】
【技術分野】
【０００１】
本発明は、ＣＤ（コンパクトディスク）やＤＶＤ（デジタルバーサタイルディスク）等のディスクに対して情報の記録／再生を行う光学式ピックアップに係り、特に、対物レンズを有するレンズホルダが導電性のワイヤを介して支持されているムービングコイル方式の光学式ピックアップに関する。
【背景技術】
【０００２】
光学式ピックアップは、一般的に、半導体レーザ等の発光手段および光検出器等の受光手段が一体的に配設された受発光ユニットと、対物レンズが取り付けられたレンズホルダや該レンズホルダを駆動する電磁駆動手段が配設されたアクチュエータと、対物レンズを露出させた状態でアクチュエータを内包する上部カバーと、受発光ユニットと対物レンズ間の光路中に設置された反射ミラーと、これら各部材が搭載されたシャーシとによって概略構成されている。そして、ムービングコイル方式の光学式ピックアップでは、フォーカスコイルやトラッキングコイルが巻装されたレンズホルダが、該コイルに接続された導電性のワイヤを介して基板に支持されており、対物レンズの補正動作時にワイヤに基板を介して供給される駆動電流によってレンズホルダがフォーカス方向やトラッキング方向に駆動されるようになっている。
【０００３】
この種の光学式ピックアップは、ＣＤプレーヤ等のディスクプレーヤに組み込まれて使用され、半導体レーザ等から出射されて反射ミラーで反射された光ビームが対物レンズによってディスクの記録面に集光されると共に、該ディスクからの戻り光ビームが対物レンズや反射ミラーを経由して受光手段にて受光されるようになっている。
【０００４】
図５はかかるムービングコイル方式の光学式ピックアップの従来例を示す分解斜視図、図６は該光学式ピックアップに備えられるアクチュエータの平面図、図７は該アクチュエータの断面図である（例えば、特許文献１参照）。これらの図に示す従来の光学式ピックアップは、アルミニウム等の金属材料からなるシャーシ１と、対物レンズ３やレンズホルダ４、ワイヤ５、基板支持部材６、マグネット７、ベース部材８等からなるアクチュエータ２と、対物レンズ３を露出させる開口９ａを有してアクチュエータ２を内包する上部カバー９と、半導体レーザおよび光検出器をユニット化してなりシャーシ１の一側部に固定された受発光ユニット（ホログラムユニット）１０と、受発光ユニット１０と対物レンズ３間の光路中に設置された反射ミラー１１とによって概略構成されている。
【０００５】
シャーシ１は図示せぬガイドシャフトに沿ってディスクの半径方向へ往復移動されるもので、シャーシ１の底板部の略中央に反射ミラー１１が４５度の取付角度で固定されている。受発光ユニット１０は反射ミラー１１を臨むシャーシ１の開口部１ａ内に組み込まれており、受発光ユニット１０の背面側は板金性の放熱カバー１２に覆われている。受発光ユニット１０の各端子は、フレキシブル配線基板１３のうち支持板１４に貼着されている補強部分に接続されており、このフレキシブル配線基板１３に形成されている配線パターンを介して受発光ユニット１０は図示せぬ信号処理回路と電気的に接続される。放熱カバー１２は固定ねじ１５を用いてシャーシ１の一側部にねじ止め固定されており、これら放熱カバー１２とシャーシ１の側壁との間にフレキシブル配線基板１３の前記補強部分が挟み込まれている。受発光ユニット１０から出射された光ビームは開口部１ａを通って反射ミラー１１で垂直方向に反射され、その戻り光ビームは反射ミラー１１で水平方向に反射された後、開口部１ａを通って受発光ユニット１０で受光される。
【０００６】
アクチュエータ２は、対物レンズ３が取り付けられて図示せぬコイル（フォーカスコイルとトラッキングコイル）が巻装されたレンズホルダ４と、このレンズホルダ４を弾性的に支持している複数本の導電性のワイヤ５と、各ワイヤ５の基端側が挿通された基板支持部材６と、各ワイヤ５の基端部を接続するためのランド部が形成されて基板支持部材６の反レンズホルダ４側の面に固定された背面基板１６と、一対のマグネット７が取り付けられたマグネット支持部材１７と、基板支持部材６やマグネット支持部材１７を載置固定しているヨークを兼ねたベース部材８とによって構成されており、対物レンズ３は反射ミラー１１の真上に位置している。各ワイヤ５は一端部（自由端部）が前記コイルに半田付けされていると共に、他端部（基端部）が背面基板１６を貫通して前記ランド部に半田付けされており、この背面基板１６が図示せぬ駆動制御回路と電気的に接続されるため、各ワイヤ５を介してフォーカスコイルやトラッキングコイルに駆動電流が供給されるようになっている。また、マグネット７は前記コイルに流れる電流の方向と交差する方向に磁束を発生し、該コイルとマグネット７、ベース部材８等によって電磁駆動手段が構成されている。そして、対物レンズ３の補正動作時にワイヤ５に供給される前記駆動電流によって、レンズホルダ４がディスクのフォーカス方向およびトラッキング方向に駆動されるようになっている。
【０００７】
このアクチュエータ２はシャーシ１の底板部上に載置され、コイルばね１８に挿通した取付ねじ１９をベース部材８の上方からシャーシ１に螺合させると共に、２本の調整ねじ２０をシャーシ１の下方からベース部材８に螺合させることにより、対物レンズ３の光軸を調整した状態でベース部材８がシャーシ１に固定される。つまり、ディスクの記録面に対して正確に信号を記録／再生するためには、反射ミラー１１の真上に位置する対物レンズ３の光軸を該ディスクの記録面に対して垂直に設定しておく必要があるので、シャーシ１上にアクチュエータ２を取り付ける際には、調整ねじ２０の締め付け力を加減することによって対物レンズ３の光軸が調整できるようになっている。
【特許文献１】特開２００１−３１９３４２号公報（第２−３頁、図９）
【発明の開示】
【発明が解決しようとする課題】
【０００８】
ところで、この種の光学式ピックアップに対しては、平面的な大きさを縮小してコンパクトにするという小型化が強く要望されているが、上述した従来構造の場合、シャーシ１の長手方向一端側に配置される受発光ユニット１０と反射ミラー１１との間に一定の光路長が必要であり、且つ、レンズホルダ４からシャーシ１の長手方向他端側へ延びて背面基板１６を貫通する各ワイヤ５にはレンズホルダ４の弾性支持に好適な所定の長さが必要となるため、必然的にシャーシ１の長手寸法が大きくなって所望の小型化が図りにくいという不具合があった。
【０００９】
本発明は、このような従来技術の実情に鑑みてなされたもので、その目的は、構成を複雑化することなく小型化を促進できるコンパクトな光学式ピックアップを提供することにある。
【課題を解決するための手段】
【００１０】
本発明は、レンズホルダと支持基板との間のワイヤと、受発光ユニットと反射ミラーとの間の光ビームの光路とが、対物レンズの光軸方向に離れ且つ対物レンズの中心から見て同一方向に延びるようにした。すなわち、ワイヤを介してレンズホルダを弾性的に支持している支持基板が配設されているシャーシの一側部に、受発光ユニットやそのフレキシブル配線基板や支持板等を配設するという部品レイアウトにした。
【発明の効果】
【００１１】
本発明による光学式ピックアップは、レンズホルダと支持基板との間のワイヤと、受発光ユニットと反射ミラーとの間の光ビームの光路とが、対物レンズの光軸方向に離れ且つ対物レンズの中心から見て同一方向に延びる部品レイアウトにしたので、受発光ユニットと反射ミラー間に一定の光路長を確保し、且つワイヤに所定の長さを確保しつつ、シャーシの長手寸法を大幅に短縮することができる。それゆえ、構成を複雑化することなく小型化が促進できるコンパクトな光学式ピックアップを提供することができる。
【発明を実施するための最良の形態】
【００１２】
本発明は、対物レンズが取り付けられたレンズホルダと、このレンズホルダを導電性のワイヤを介して弾性的に支持する支持基板と、前記対物レンズを介してディスクに光ビームを出射する発光手段および該ディスクからの戻り光ビームを受光する受光手段が配設された受発光ユニットと、この受発光ユニットが接続される配線パターンを有するフレキシブル配線基板と、前記対物レンズの光軸上に配置され前記発光手段から出射された光ビームを前記対物レンズに向けて反射すると共にディスクからの戻り光ビームを前記受光手段に向けて反射する反射ミラーと、前記支持基板と前記受発光ユニットおよび前記反射ミラーが搭載されたシャーシとを備えた光学式ピックアップにおいて、前記レンズホルダと前記支持基板との間の前記ワイヤと、前記受発光ユニットと前記反射ミラーとの間の光ビームの光路とが、前記対物レンズの光軸方向に離れ且つ前記対物レンズの中心から見て同一方向に延びている構成とした。
【００１３】
このようにワイヤを介してレンズホルダを弾性的に支持している支持基板が配設されているシャーシの一側部に、受発光ユニットを平面的にオーバーラップして配設するという部品レイアウトを採用すると、受発光ユニットと反射ミラー間に一定の光路長を確保し、且つワイヤに所定の長さを確保しつつ、シャーシの長手寸法を大幅に短縮することができるため、構成を複雑化することなく光学式ピックアップの小型化を容易に促進できる。
【００１４】
上記の構成において、支持基板は基板支持部材の反レンズホルダ側の面に取り付けられて該基板支持部材を介してシャーシに搭載されており、受発光ユニットと反射ミラーとの間の光ビームの光路がシャーシの内底面と基板支持部材との間に形成されるように、受発光ユニットがシャーシの側面に取り付けられていることが好ましい。
【００１５】
また、上記の構成において、支持基板の反レンズホルダ側の面にはワイヤの基端部が半田付けされるランド部が設けられ、ワイヤの基端部は支持基板を貫通して反レンズホルダ側へ延びており、フレキシブル配線基板を貼着して支持する支持板が支持基板の反レンズホルダ側の面と対向して配置され、ワイヤの基端部先端が支持板に形成された逃げ部に挿入されていることが好ましい。このような構成を採用すると、支持基板のランド部から支持板側へ突出するワイヤの基端部先端を該支持板とオーバーラップさせつつ両者の干渉を防止することができるため、シャーシの長手寸法をさらに短縮することができる。この場合において、支持板は熱伝導性の良い金属材料からなることが好ましく、これにより、受発光ユニットから発生する熱を支持板を利用して効果的に放熱させることが可能となる。
【実施例】
【００１６】
実施例について図面を参照して説明すると、図１は本発明の実施例に係るムービングコイル方式の光学式ピックアップの長手方向（タンジェンシャル方向）に沿う断面図、図２は該光学式ピックアップの分解斜視図、図３は該光学式ピックアップの平面図、図４は該光学式ピックアップの一側部を示す側面図である。ただし、これらの図において上部カバーは図示省略してある。また、これらの図において図５〜図７に対応する部分には同一符号が付してあるため、重複する説明は適宜省略する。
【００１７】
図１〜図４に示す光学式ピックアップは、アルミニウム等の金属材料あるいは合成樹脂材料からなるシャーシ１と、対物レンズ３やレンズホルダ４、ワイヤ５、基板支持部材６、背面基板（支持基板）１６、マグネット７、ベース部材８等からなるアクチュエータ２と、対物レンズ３を露出させる開口を有してアクチュエータ２を内包する図示せぬ上部カバーと、半導体レーザおよび光検出器をユニット化してなりシャーシ１の一側部に固定された受発光ユニット（ホログラムユニット）１０と、受発光ユニット１０の近傍で支持板１４に支持されたフレキシブル配線基板１３と、受発光ユニット１０と対物レンズ３間の光路中に設置された反射ミラー１１とによって概略構成されている。図１から明らかなように、この光学式ピックアップは、背面基板１６および該背面基板１６が取り付けられた基板支持部材６と、受発光ユニット１０やフレキシブル配線基板１３および支持板１４等をすべてシャーシ１の長手方向（タンジェンシャル方向）一側部に集約させてある点が、図５〜図７に示した前記従来例と大きく異なっている。
【００１８】
シャーシ１は図示せぬガイドシャフトに沿ってディスクの半径方向へ往復移動されるもので、シャーシ１の底板部の略中央に反射ミラー１１が４５度の取付角度で固定されている。受発光ユニット１０は反射ミラー１１を臨むシャーシ１の開口部１ａ内に位置決めされて組み込まれており、シャーシ１の内底面と基板支持部材６や支持板１４との間の高さ位置に配置されている。受発光ユニット１０の各端子１０ａはフレキシブル配線基板１３のランド１３ａにそれぞれ半田付けにより接続されており、このフレキシブル配線基板１３に形成されている配線パターンを介して受発光ユニット１０は図示せぬ信号処理回路と電気的に接続される。また、フレキシブル配線基板１３は支持板１４の片面（シャーシ１と逆側の面）に貼着されて補強されており、これらフレキシブル配線基板１３および支持板１４の切欠き部２１（図２参照）に受発光ユニット１０が挿入されていると共に、フレキシブル配線基板１３および支持板１４が固定ねじ１５によってシャーシ１の一側部に固定されている。なお、支持板１４はアルミニウム等の熱電導性の良い金属板からなるため、受発光ユニット１０から発生する熱を支持板１４を利用して効果的に放熱させることができる。
【００１９】
アクチュエータ２は、対物レンズ３が取り付けられて図示せぬコイル（フォーカスコイルとトラッキングコイル）が巻装されたレンズホルダ４と、このレンズホルダ４を弾性的に支持するための複数本の導電性のワイヤ５と、各ワイヤ５の基端側が挿通され且つゲル状のダンパ材が充填される貫通孔６ｃ，６ｄを有する基板支持部材６と、各ワイヤ５の基端部を接続するためのランド部が形成されて基板支持部材６の反レンズホルダ４側の面に固定された背面基板１６と、一対のマグネット７が取り付けられてヨークを兼ねていると共に基板支持部材６を載置固定している板金製のベース部材８とによって構成されている。対物レンズ３は反射ミラー１１の真上に位置しており、基板支持部材６は背面基板１６を固定している突出部６ａが受発光ユニット１０の先端部の上方に位置している。各ワイヤ５は一端部（自由端部）が前記コイルに半田付けされていると共に、他端部（基端部）が背面基板１６を貫通して前記ランド部に半田付けされており、この背面基板１６が図示せぬ駆動制御回路と電気的に接続されるため、各ワイヤ５を介してフォーカスコイルやトラッキングコイルに駆動電流が供給されるようになっている。なお、図中の符号１６ａは、背面基板１６の該ランド部に塗布された半田を示している。また、マグネット７は前記コイルに流れる電流の方向と交差する方向に磁束を発生し、該コイルとマグネット７およびベース部材８等によって電磁駆動手段が構成されている。そして、対物レンズ３の補正動作時にワイヤ５に供給される前記駆動電流によって、レンズホルダ４がディスクのフォーカス方向およびトラッキング方向に駆動されるようになっている。
【００２０】
前記支持板１４は背面基板１６のランド部形成面と対向する位置に配置されており、この支持板１４の反背面基板１６側の面に受発光ユニット１０接続用のフレキシブル配線基板１３が貼着されている。また、図１と図３に示すように、支持板１４の複数箇所には、各ワイヤ５の基端部を挿入するための逃げ穴（または切欠き）１４ａが穿設されている。すなわち、背面基板１６のランド部から支持板１４側へ突出するワイヤ５の基端部は逃げ穴１４ａの途中まで挿入されており、このようにしてワイヤ５の基端部を支持板１４とオーバーラップさせておけば、支持板１４をワイヤ５との干渉を回避しつつ背面基板１６側へ近接した位置に配置させることができる。また、ワイヤ５の基端部が逃げ穴１４ａの途中まで挿入されるように寸法設定してあることから、フレキシブル配線基板１３にはワイヤ５を逃がすための透孔を設ける必要はなく、それゆえフレキシブル配線基板１３のパターン引き廻し用の面積が減少することはなく、設計自由度が損なわれる心配はない。
【００２１】
このように本実施例に係る光学式ピックアップは、レンズホルダ４と背面基板１６との間に橋絡されたワイヤ５と、受発光ユニット１０と反射ミラー１１との間の光ビームの光路とが、対物レンズ３の光軸方向に離れ且つ対物レンズ３の中心から見て同一方向に延びるレイアウトになっており、ワイヤ５を介してレンズホルダ４を弾性的に支持している背面基板１６が配設されているシャーシ１の長手方向（タンジェンシャル方向）一側部に、受発光ユニット１０やそのフレキシブル配線基板１３および支持板１４等を集約させて配設する構成になっている。したがって、対物レンズ３の中心からタンジェンシャル方向の一方側の領域で、受発光ユニット１０と反射ミラー１１間に一定の光路長を確保し、且つワイヤ５にレンズホルダ４を弾性的に移動可能に支持するための所定の長さを確保することができ、しかも、ワイヤ５の有効長のすべて、またはその殆どをタンジェンシャル方向おいて受発光ユニット１０と反射ミラー１１間の光路長の範囲内に配置できるため、前記従来例に比べてシャーシ１の長手寸法が大幅に短縮されている。
【００２２】
しかも、本実施例では、背面基板１６を貫通して支持板１４側へ突出するワイヤ５の基端部を該支持板１４の逃げ穴１４ａ内へ挿入させることによって、背面基板１６と支持板１４との間隔が不所望に広がらないように配慮してあるため、該逃げ穴１４ａを設けない場合と比べてほぼ支持板１４の厚み相当分だけ長手寸法が短縮されている。その結果、特に構成を複雑化することなく全体の小型化を促進できるコンパクトな光学式ピックアップが実現されている。
【図面の簡単な説明】
【００２３】
【図１】実施例に係る光学式ピックアップの長手方向に沿う断面図である。
【図２】該光学式ピックアップの分解斜視図である。
【図３】該光学式ピックアップの平面図である。
【図４】該光学式ピックアップの一側部を示す側面図である。
【図５】従来例に係る光学式ピックアップの分解斜視図である。
【図６】該光学式ピックアップに備えられるアクチュエータの平面図である。
【図７】該アクチュエータの断面図である。
【符号の説明】
【００２４】
１  シャーシ
２  アクチュエータ
３  対物レンズ
４  レンズホルダ
５  ワイヤ
６  基板支持部材
７  マグネット
８  ベース部材
１０  受発光ユニット
１１  反射ミラー
１３  フレキシブル配線基板
１４  支持板
１４ａ  逃げ穴（逃げ部）
１６  背面基板（支持基板）
１６ａ  半田
【図１】
2005353121.tif 000003
【図２】
2005353121.tif 000004
【図３】
2005353121.tif 000005
【図４】
2005353121.tif 000006
【図５】
2005353121.tif 000007
【図６】
2005353121.tif 000008
【図７】
2005353121.tif 000009